(57)【特許請求の範囲】
【請求項１】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大対象枠のサイズを示すパラメータであり、ユーザによる変更が可能なサイズパラメータを記憶する記憶部と、
複数の前記領域選択キーのいずれか１つが選択されたときに、選択された前記領域選択キーに対応する前記分割領域を中心とする領域、又は、選択された前記領域選択キーに対応する前記分割領域及びこれに隣接する領域を囲み、前記サイズパラメータが示すサイズを有する前記拡大対象枠を表示するように前記第１の表示画面を制御する拡大対象枠表示制御部と、
前記拡大対象枠内に表示される前記第１の表示画面上の情報を前記第２の表示画面上に拡大して表示するように、前記第２の表示画面を制御する拡大対象情報表示制御部と、を備え、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである、
ことを特徴とする拡大表示機能を有する携帯端末装置。
【請求項２】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大率を示すパラメータであり、ユーザによる変更が可能な拡大率パラメータを記憶する記憶部と、
複数の前記領域選択キーのいずれか１つが選択されたときに、選択された前記領域選択キーに対応する前記分割領域を中心とする領域、又は、選択された前記領域選択キーに対応する前記分割領域及びこれに隣接する領域を囲む拡大対象枠を表示するように前記第１の表示画面を制御する拡大対象枠表示制御部と、
前記拡大対象枠内に表示される前記第１の表示画面上の情報を前記第２の表示画面上に拡大して表示するように、前記第２の表示画面を制御する拡大対象情報表示制御部と、を備え、
前記拡大対象枠のサイズは、前記拡大率パラメータが示す拡大率で、前記第１の表示画面内の前記拡大対象枠内の情報を前記第２の表示画面上に拡大して表示するように決められたサイズであり、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである、
ことを特徴とする拡大表示機能を有する携帯端末装置。
【請求項３】
前記第２の表示画面が、前記第１の表示画面と実質的に同じ形状及びサイズを有する、請求項１又は２に記載の携帯端末装置。
【請求項４】
前記拡大対象枠表示制御部は、特定の操作に応答して前記拡大対象枠を前記第１の表示画面上で移動させる、請求項１〜３の何れか１項に記載の携帯端末装置。
【請求項５】
表示画面選択キーによる選択に応答して、前記第１の表示画面と前記第２の表示画面の何れかを選択する選択制御部と、
前記選択制御部による選択に応答して、前記第１の表示画面又は前記第２の表示画面の何れかに表示されているアイコンを有効にするアイコン表示制御部と、を更に備える請求項１〜４の何れか１項に記載の携帯端末装置。
【請求項６】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大対象枠のサイズを示すパラメータであり、ユーザによる変更が可能なサイズパラメータを記憶する記憶部と、を備え、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである携帯端末装置の拡大表示を制御する方法であって、
前記領域選択キーの押下に応答して、前記第１の表示画面の複数の前記分割領域から１つの前記分割領域を選択するステップと、
前記選択された前記分割領域を中心とする領域、又は、前記選択された前記分割領域及びこれに隣接する領域を囲み、前記サイズパラメータが示すサイズを有する前記拡大対象枠を表示するステップと、
前記拡大対象枠内に表示される前記第１の表示画面上の情報を前記第２の表示画面上に拡大して表示するステップと、を有する携帯端末装置の拡大表示制御方法。
【請求項７】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大率を示すパラメータであり、ユーザによる変更が可能な拡大率パラメータを記憶する記憶部と、を備え、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである携帯端末装置の拡大表示を制御する方法であって、
前記領域選択キーの押下に応答して、前記第１の表示画面の複数の前記分割領域から１つの前記分割領域を選択するステップと、
前記選択された前記分割領域を中心とする領域、又は、前記選択された前記分割領域及びこれに隣接する領域を囲む拡大対象枠を表示するステップと、
前記拡大対象枠内に表示される前記第１の表示画面上の情報を前記第２の表示画面上に拡大して表示するステップと、を有し、
前記拡大対象枠のサイズは、前記拡大率パラメータが示す拡大率で、前記第１の表示画面内の前記拡大対象枠内の情報を前記第２の表示画面上に拡大して表示するように決められたサイズであることを特徴とする、
携帯端末装置の拡大表示制御方法。
【請求項８】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大対象枠のサイズを示すパラメータであり、ユーザによる変更が可能なサイズパラメータを記憶する記憶部と、を備え、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである携帯端末装置の拡大表示を制御するコンピュータに、
前記領域選択キーの押下に応答して、前記第１の表示画面の複数の前記分割領域から１つの前記分割領域を選択する処理と、
前記選択された前記分割領域を中心とする領域、又は、前記選択された前記分割領域及びこれに隣接する領域を囲み、前記サイズパラメータが示すサイズを有する前記拡大対象枠を表示する処理と、
前記拡大対象枠内に表示される前記第１の表示画面上の情報を前記第２の表示画面上に拡大して表示する処理と、
を実行させるプログラム。
【請求項９】
第１の表示画面を有する第１の表示部と、
前記第１の表示画面と並置される第２の表示画面を有する第２の表示部と、
前記第１の表示画面を分割した複数の分割領域の位置に対応して配置される複数の領域選択キーと、
拡大率を示すパラメータであり、ユーザによる変更が可能な拡大率パラメータを記憶する記憶部と、を備え、
前記第１の表示画面と前記第２の表示画面とが左右方向に並置される第１の形態と、前記第１の表示画面と前記第２の表示画面とが折り重なって配置される第２の形態との間で移行可能であり、
前記領域選択キーは、前記第１の形態において、前記第１の表示画面に対して前記第２の表示画面と異なる方向に並置された操作部に備えられた、テンキーを含むキースイッチである携帯端末装置の拡大表示を制御するコンピュータに、
前記領域選択キーの押下に応答して、前記第１の表示画面の複数の前記分割領域から１つの前記分割領域を選択する処理と、
前記選択された前記分割領域を中心とする領域、又は、前記選択された前記分割領域及びこれに隣接する領域を囲む拡大対象枠を表示する処理と、
前記拡大対象枠内に表示される前記第１の表示画面上の情報を前記第２の表示画面上に拡大して表示する処理と、を実行させ、
前記拡大対象枠のサイズは、前記拡大率パラメータが示す拡大率で、前記第１の表示画面内の前記拡大対象枠内の情報を前記第２の表示画面上に拡大して表示するように決められたサイズであることを特徴とする、
プログラム。
【発明の詳細な説明】
【技術分野】
【０００１】
本発明は、表示情報を拡大する拡大表示機能を有する携帯端末装置、拡大表示制御方法、及びプログラムに関する。
【背景技術】
【０００２】
従来の携帯端末装置では、その用途の観点から携帯性が第一に考慮され、必然的に表示部も小型化を意図して設計されてきた。しかし、小さな画面は、表示情報にも依存するものの、低視力の方や年配の方にとっては非常に見づらいものである。このため、彼等が表示情報を閲覧するためには、一般的には眼鏡が、場合によっては虫眼鏡までもが必要となる。この状況を改善するため、携帯端末装置における表示情報の拡大技術が、以下のとおり開示されている。【０００３】
特許文献１の携帯端末装置では、メニューや画像を表示している際にカーソルを当てると、フォーカスしている箇所が拡大され、また、フォーカス前の情報に比べて詳細な情報が表示される。特許文献２の携帯端末装置では、データの濃淡などから表示情報のある特徴的な座標を数点捉え、これを基準として拡大対象範囲を自動で抽出し、同じ表示画面上の分割表示領域へこれを拡大して表示させる。特許文献３の携帯端末装置では、表示画面にタッチパネルを採用し、ユーザーがタッチした座標近傍の拡大対象枠内の表示情報を、同じ画面上の他の領域へ拡大して表示させる。この際、ユーザーの利き手を設定することで操作性を向上している。また、タッチ部の移動による拡大対象枠や拡大表示領域の重畳が回避されるように制御されている。更に、拡大画面表示領域については、表示優先順位を与えることで、情報量が少ないため拡大表示領域を設けてもさほど問題がないエリアに、その領域を配置するようにしている。
【先行技術文献】
【特許文献】
【０００４】
【特許文献１】特開２００９−１１００１５号公報
【特許文献２】特開２００７−１８０９１４号公報
【特許文献３】特開２００９−１６９４５２号公報
【特許文献４】特開２００５−２６１８０７号公報
【発明の概要】
【発明が解決しようとする課題】
【０００５】
上記各特許文献に記載の携帯端末装置では、ユーザーが表示情報の一部を、その拡大率を指定して、表示画面の別の領域へ拡大表示させることが可能である。しかし、通常、携帯端末装置には、一度に視認できる表示画面は１つしか備えられていないため、拡大表示領域は、この画面内の一部に確保されることになる。しかし、ただでさえ小型化制約の大きな携帯端末装置で、その画面を分割し、そこへ拡大表示をすると、拡大した分だけその小さな画面に表示可能な情報量が削減されてしまう。このため、表示情報の視認性が損なわれる。また、拡大表示領域に収まりきらなかった情報については、再度カーソル等を用いて通常画面内で拡大表示する領域を指定し直さなければならず、その操作が煩雑である。更に、通常表示されている画面の一部を利用して拡大表示を行うことから、たとえ拡大対象枠等で拡大対象領域を視覚化しても、表示情報全体のどこを見ているのかが判り難くなるという問題もある。【０００６】
特許文献４には、同等の形状及びサイズを有する表示画面を持つ２つの表示部を備える医療用の携帯端末装置が記載されている。本文献では、並置される２つの表示部の表示画面のうち、一方の表示画面では拡大された画像情報を表示し、他方の表示画面では拡大された文字情報を表示する旨が示されている。また、画像情報や文字情報のみを表示する際には、２つの表示画面が一体となって、拡大された画像情報又は文字情報を表示する旨も示されている。【０００７】
特許文献１〜３に記載された拡大情報を、特許文献４に記載された携帯端末装置で表示することが考えられる。しかし、拡大情報の表示操作の手間を省くと共に、拡大情報を視認性よく、且つ、どの部分の拡大情報であるかを容易に判断できるように双方の表示画面をどのように使い分けるかについては、考慮する必要がある。【０００８】
本発明は、上記関連技術に鑑み、拡大情報の視認性に優れ、拡大の際の操作が容易であり、且つ、表示情報全体と拡大情報との対応関係が容易に判別可能な、拡大表示機能を有する携帯端末装置、拡大表示制御方法、及びプログラムを提供することを目的とする。
【課題を解決するための手段】
【０００９】
上記目的を達成するために、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大対象枠のサイズを示すパラメータであり、ユーザによる変更が可能なサイズパラメータを記憶する記憶部と、複数の前記領域選択キーのいずれか１つが選択されたときに、選択された前記領域選択キーに対応する前記分割領域を中心とする領域、又は、選択された前記領域選択キーに対応する前記分割領域及びこれに隣接する領域を囲み、前記サイズパラメータが示すサイズを有する前記拡大対象枠を表示するように前記第１の表示画面を制御する拡大対象枠表示制御部と、前記拡大対象枠内に表示される前記第１の表示画面上の情報を前記第２の表示画面上に拡大して表示するように、前記第２の表示画面を制御する拡大対象情報表示制御部と、を備え、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである、ことを特徴とする拡大表示機能を有する携帯端末装置を提供する。
また、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大率を示すパラメータであり、ユーザによる変更が可能な拡大率パラメータを記憶する記憶部と、複数の前記領域選択キーのいずれか１つが選択されたときに、選択された前記領域選択キーに対応する前記分割領域を中心とする領域、又は、選択された前記領域選択キーに対応する前記分割領域及びこれに隣接する領域を囲む拡大対象枠を表示するように前記第１の表示画面を制御する拡大対象枠表示制御部と、前記拡大対象枠内に表示される前記第１の表示画面上の情報を前記第２の表示画面上に拡大して表示するように、前記第２の表示画面を制御する拡大対象情報表示制御部と、を備え、前記拡大対象枠のサイズは、前記拡大率パラメータが示す拡大率で、前記第１の表示画面内の前記拡大対象枠内の情報を前記第２の表示画面上に拡大して表示するように決められたサイズであり、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである、ことを特徴とする、拡大表示機能を有する携帯端末装置を提供する。
【００１０】
また、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大対象枠のサイズを示すパラメータであり、ユーザによる変更が可能なサイズパラメータを記憶する記憶部と、を備え、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである携帯端末装置の拡大表示を制御する方法であって、前記領域選択キーの押下に応答して、前記第１の表示画面の複数の前記分割領域から１つの前記分割領域を選択するステップと、前記選択された前記分割領域を中心とする領域、又は、前記選択された前記分割領域及びこれに隣接する領域を囲み、前記サイズパラメータが示すサイズを有する前記拡大対象枠を表示するステップと、前記拡大対象枠内に表示される前記第１の表示画面上の情報を前記第２の表示画面上に拡大して表示するステップと、を有する携帯端末装置の拡大表示制御方法を提供する。
また、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大率を示すパラメータであり、ユーザによる変更が可能な拡大率パラメータを記憶する記憶部と、を備え、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである携帯端末装置の拡大表示を制御する方法であって、前記領域選択キーの押下に応答して、前記第１の表示画面の複数の前記分割領域から１つの前記分割領域を選択するステップと、前記選択された前記分割領域を中心とする領域、又は、前記選択された前記分割領域及びこれに隣接する領域を囲む拡大対象枠を表示するステップと、前記拡大対象枠内に表示される前記第１の表示画面上の情報を前記第２の表示画面上に拡大して表示するステップと、を有し、前記拡大対象枠のサイズは、前記拡大率パラメータが示す拡大率で、前記第１の表示画面内の前記拡大対象枠内の情報を前記第２の表示画面上に拡大して表示するように決められたサイズであることを特徴とする、携帯端末装置の拡大表示制御方法を提供する。
【００１１】
更に、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大対象枠のサイズを示すパラメータであり、ユーザによる変更が可能なサイズパラメータを記憶する記憶部と、を備え、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである携帯端末装置の拡大表示を制御するコンピュータに、前記領域選択キーの押下に応答して、前記第１の表示画面の複数の前記分割領域から１つの前記分割領域を選択する処理と、前記選択された前記分割領域を中心とする領域、又は、前記選択された前記分割領域及びこれに隣接する領域を囲み、前記サイズパラメータが示すサイズを有する前記拡大対象枠を表示する処理と、前記拡大対象枠内に表示される前記第１の表示画面上の情報を前記第２の表示画面上に拡大して表示する処理と、を実行させるプログラムを提供する。
また、本発明は、第１の表示画面を有する第１の表示部と、前記第１の表示画面と並置される第２の表示画面を有する第２の表示部と、前記第１の表示画面を分割した複数の分割領域の位置に対応して配置される複数の領域選択キーと、拡大率を示すパラメータであり、ユーザによる変更が可能な拡大率パラメータを記憶する記憶部と、を備え、前記第１の表示画面と前記第２の表示画面とが左右方向に並置される第１の形態と、前記第１の表示画面と前記第２の表示画面とが折り重なって配置される第２の形態との間で移行可能であり、前記領域選択キーは、前記第１の形態において、前記第１の表示画面に対して前記第２の表示画面と異なる方向に並置された操作部に備えられた、テンキーを含むキースイッチである携帯端末装置の拡大表示を制御するコンピュータに、前記領域選択キーの押下に応答して、前記第１の表示画面の複数の前記分割領域から１つの前記分割領域を選択する処理と、前記選択された前記分割領域を中心とする領域、又は、前記選択された前記分割領域及びこれに隣接する領域を囲む拡大対象枠を表示する処理と、前記拡大対象枠内に表示される前記第１の表示画面上の情報を前記第２の表示画面上に拡大して表示する処理と、を実行させ、前記拡大対象枠のサイズは、前記拡大率パラメータが示す拡大率で、前記第１の表示画面内の前記拡大対象枠内の情報を前記第２の表示画面上に拡大して表示するように決められたサイズであることを特徴とする、プログラムを提供する。
【発明の効果】
【００１２】
本発明の拡大表示機能を有する携帯端末装置、拡大表示制御方法、及びプログラムによると、拡大情報により視認性が良好になると共に、拡大対象領域の選択が容易であり、且つ、表示情報全体と拡大情報との対応関係が容易に判別できるという効果が得られる。
【図面の簡単な説明】
【００１３】
【図１】本発明の第１の実施形態に係る携帯端末装置の外観を示す正面図。
【図２】第１の実施形態の携帯端末装置のブロック図。
【図３】第１の実施形態の携帯端末装置の拡大対象枠表示制御部の処理を示すフローチャート。
【図４】第１の実施形態の携帯端末装置の拡大対象情報表示制御部の処理を示すフローチャート。
【図５】第１の実施形態の携帯端末装置における拡大表示の態様を示す正面図。
【図６】第１の実施形態の携帯端末装置における拡大表示の態様を示す正面図。
【図７】第１の実施形態の携帯端末装置における拡大表示の態様を示す正面図。
【図８】第１の実施形態の携帯端末装置における拡大表示の態様を示す正面図。
【図９】本発明の第２の実施形態に係る携帯端末装置のブロック図。
【図１０】第２の実施形態の携帯端末装置における拡大表示の態様を示す正面図。
【図１１】第２の実施形態の携帯端末装置における拡大表示の態様を示す正面図。
【発明を実施するための形態】
【００１４】
本発明の実施形態の説明に先立って本発明の概要を述べる。本発明の携帯端末装置は、第１の表示画面を有する第１の表示部と、前記第１の表示画面と並置される第２の表示画面を有する第２の表示部と、前記第１の表示画面内の複数の領域の何れかに拡大対象枠を表示するように前記第１の表示画面を制御する拡大対象枠表示制御部と、前記拡大対象枠内に表示される前記第１の表示画面上の情報を前記第２の表示画面上に拡大して表示するように、前記第２の表示画面を制御する拡大対象情報表示制御部と、前記第１の表示画面の複数の領域に対応して配置される複数の領域選択キーと、を備える。
【００１５】
また、本発明の携帯端末装置の拡大表示制御方法は、第１の表示画面を有する第１の表示部と、前記第１の表示画面と並置される第２の表示画面を有する第２の表示部と、前記第１の表示画面の複数の領域に対応して配置される複数の領域選択キーと、を備える携帯端末装置の拡大表示を制御する方法であって、前記領域選択キーの押下に応答して、前記第１の表示画面の複数の領域から１つの領域を選択するステップと、前記選択された１つの領域に拡大対象枠を表示するステップと、前記拡大対象枠内に表示される前記第１の表示画面上の情報を前記第２の表示画面上に拡大して表示するステップと、を有する。
【００１６】
更に、本発明のプログラムは、第１の表示画面を有する第１の表示部と、前記第１の表示画面と並置される第２の表示画面を有する第２の表示部と、前記第１の表示画面の複数の領域に対応して配置される複数の領域選択キーと、を備える携帯端末装置の拡大表示を制御するコンピュータのためのプログラムであって、前記コンピュータに、前記領域選択キーの押下に応答して、前記第１の表示画面の複数の領域から１つの領域を選択する処理と、前記選択された１つの領域に拡大対象枠を表示する処理と、前記拡大対象枠内に表示される前記第１の表示画面上の情報を前記第２の表示画面上に拡大して表示する処理と、を実行させる。
【００１７】
本発明の携帯端末装置、その拡大表示制御方法、及び、プログラムによると、拡大対象枠を表示した表示情報全体が第１の表示画面に表示され、押下された領域選択キーに対応する第１の表示画面上の領域の情報が拡大されて第２の表示画面に表示される。拡大情報により、視認性が向上し、双方が対になって表示されるので、表示情報全体と拡大情報との対応関係が容易に判別でき、更に、拡大対象領域の選択操作も容易になる。
【００１８】
以下、本発明の実施形態に係る携帯端末装置について、図面を参照して詳細に説明する。図１は、本発明の第１の実施形態に係る携帯端末装置１０の正面外観図であり、第１表示部と第２表示部の双方を開いた状態で示している。双方の表示画面は、ヒンジを利用して第２表示部を回転することにより、相互に重ね合わせることができる。また、図示のように、ヒンジを利用して第２表示部を回転することにより、双方の表示画面を左右方向に並置して表示させることができる。
【００１９】
携帯端末装置１０には、同等サイズ及び同様な形状の第１表示画面２１Ａ、第２表示画面２１Ｂをそれぞれ有する、第１表示部２０Ａ及び第２表示部２０Ｂが存在する。ユーザーは、この２画面を使用することで、複数のアプリケーションを並行して操作することができる。携帯端末装置１０の操作は、操作部３０にアサインされているキー入力部３１の各キースイッチの押下により実行される。つまり、携帯端末装置１０は、各キースイッチの押下により、画面を選択・決定し、或いは、機能メニューなどのサブメニュー等を利用する。キー入力部３１は、いわゆるソフトキー部３２に配置されているＳ０〜Ｓ４キー、及び数字や文字などの入力に利用されるテンキー部３３に配置されているＴ１〜Ｔ１５キー、及び、筐体の側面に設けられた補助的なサイドキー３４から構成される。ソフトキーＳ０は、特に選択キーとして用いられる。
【００２０】
図２は、上記携帯端末装置１０の内部構成を示すブロック図である。携帯端末装置１０は、大きく分けると、第１表示画面２１Ａ及び第２表示画面２１Ｂと、キー入力部３１と、制御部４０と、を有する。各表示画面２１Ａ、２１Ｂには、キー入力部３１からの入力情報を制御部４０で処理した結果が表示される。制御部４０は、入力情報検出部４１と、拡大対象枠表示制御部４２と、拡大対象情報表示制御部４３と、記憶部５０と、を有する。入力情報検出部４１は、キー入力部３１からインプットされた操作指令を座標として検出し、拡大対象枠表示制御部４２及び拡大対象情報表示制御部４３へ、その座標をデータとして受け渡す。
【００２１】
拡大対象枠表示制御部４２は、入力情報検出部４１からインプットされた座標データをもとに、第１表示画面２１Ａに表示する拡大対象枠の座標を決定し、実際に拡大対象枠を第１表示画面２１Ａに表示させる。拡大対象情報表示制御部４３も同様に、入力情報検出部４１から座標データを受け取り、これをもとに読み込んだ後述の表示情報５１の拡大対象領域（拡大対象枠内に表示される情報）を拡大し、その拡大情報を第２表示画面２１Ｂに表示させる。記憶部５０には、表示情報の拡大処理を実行するに際し、必要な各種情報が保存されている。表示情報５１は、拡大処理を施していない通常画面に表示される表示データ（例えば、ｔｘｔ形式の文字データやｂｍｐ形式の画像データ）である。また、保存拡大対象枠５２は、一旦、拡大対象枠を非表示にさせた後、再表示させる場合に保持している、前回表示させていた拡大対象枠の座標データである。
【００２２】
次に、図３、図４のフローチャート及び図５〜図８の拡大処理説明図を参照して第１の実施形態の処理について詳細に説明する。図３は、拡大対象枠表示制御部４２の処理を示す。今、第１表示画面２１Ａには、適当なアプリケーションソフトが表示されているものとする。まず、ユーザーは、この表示情報を拡大し、その拡大情報を第２表示画面２１Ｂに表示して閲覧するために、表示情報拡大処理を開始する。この処理の開始は、例えば、選択釦として使用されるソフトキーＳ０の長押しで行う（ステップＳ１１）。ここで、入力情報検出部４１は、押下されたキーから、ユーザーが拡大表示を希望する領域を示す拡大対象枠の座標データを検出し、これを拡大対象枠表示制御部４２へ受け渡す。次に、拡大対象枠表示制御部４２がこの座標データを取得し（ステップＳ１２）、この座標データを記憶部５０へ保存する（ステップＳ１３）。このとき、記憶部５０には、保存拡大対象枠５２が座標データとして保存される。拡大対象枠表示制御部４２は、この座標データに基づいて、第１表示画面２１Ａに拡大対象枠を表示させる（ステップＳ１４）。
【００２３】
ここで、図５〜図８を参照して、ステップＳ１４及び後述のステップＳ２５における拡大対象枠の表示の態様について述べる。一般に、小型化の制約を受け、入力キーを自由に配置又は追加することができない携帯端末装置１０では、テンキー部３３に配置されている各テンキーが入力キーとして使われる頻度が高い。このため、ソフトキー部３２に配置されているＳ０キーの長押しによる表示情報拡大処理の開始以降は、第１表示画面２１Ａ上における拡大対象枠の表示位置を、各テンキーの配置と１対１に対応付ける。つまり、図５〜図８に示すように、本実施形態の携帯端末装置１０の第１表示画面２１Ａを５行×３列に１５分割する。そして、携帯端末装置１０には、１５個のテンキーＴ１〜Ｔ１５が５行×３列に配置されているので、これら１５個のテンキーＴ１〜Ｔ１５の配置に従って、第１表示画面２１Ａの分割した各々の表示領域に対して、１つのテンキーをアサインする（図中の画面の分割を示す点線は、説明用に便宜的に記載しているが、実際は表示されない）。なお、テンキー及び各領域の配置は一例であり、適宜変更可能である。
【００２４】
例えば、図８に示すように、Ｔ１３キーを押下した場合には、このキーに対応する第１表示画面２１Ａ上の領域Ｚが拡大対象領域として認識され、この領域周囲に拡大対象枠が表示される。拡大対象枠は、別のテンキーを押下すると、その押下されたテンキーに対応する別の領域へ遷移する。或いは、上下左右の十字キーを押下すると、あらかじめ設定されたある座標分だけその方向へ移動する。また、表示情報拡大処理は、Ｓ０キーの長押しにより開始されるので、開始時はデフォルトとして、Ｔ８キーの押下時と同じく、画面中央に位置する領域Ｘ（図５）に拡大対象枠が表示されることとしてある（ステップＳ１４）。なお、拡大対象枠を非表示にするキーをサイドキー３４などに割り当てても良い。
【００２５】
表示情報拡大処理の終了は、例えばＳ０キーの長押しで実施する。更に、携帯端末装置１０のソフトキーＳ１〜Ｓ４は、第１表示画面２１Ａに表示されている情報が１画面に収まりきらない場合に使用する。つまり、縦横へ複数ページに跨ってしまうときには、これらＳ１〜Ｓ４キーに、上下左右のページ切り替えをアサインさせることも可能である。上記構成により、ステップＳ１４では、図５に示すように、領域Ｘの周囲に拡大対象枠が表示される。
【００２６】
次に、ステップＳ１５にて、ユーザーがあるキーを入力したとする。ステップＳ１６では、表示情報拡大処理開始時のステップＳ１２と同様に、拡大対象枠表示制御部４２が、入力されたキーに対応する座標データを入力情報検出部４１から取得する。ここでまず、拡大対象枠表示制御部４２は、この入力がＳ０キーの長押しによる表示情報拡大処理終了を意図するものか否かを判断する（ステップＳ１７）。この判断が「Ｙｅｓ」であれば、表示情報拡大処理は終了する。ステップＳ１７の判断が「Ｎｏ」であれば、上記で述べた拡大対象枠を一時的に非表示にするサイドキー３４の押下か否かを判断する（ステップＳ１８）。これがもし「Ｙｅｓ」ならば、ステップＳ１９にて図６に示すように、拡大対象枠表示制御部４２が拡大対象枠の表示を消す。その後、キー入力があると（ステップＳ２１）、それが何のキーであるかに拘わらず、拡大対象枠表示制御部４２は、記憶部５０に保存されている座標データである保存拡大対象枠５２を取得する（ステップＳ２４）。そして、非表示にする前に表示されていた領域に拡大対象枠を再度表示する（ステップＳ２５）。
【００２７】
一方で、ステップＳ１５で入力されたキーが、表示情報拡大処理の終了でなく（ステップＳ１７：Ｎｏ）、且つ、拡大対象枠の非表示でもない場合には（ステップＳ１８：Ｎｏ）、十字キー又はテンキーが押下されたことになる（本フローにおいて、Ｓ１〜Ｓ４キー押下の処理については考慮しない）。この場合には、十字キーかテンキーかを判断し（ステップＳ２０）、ステップＳ１２、Ｓ１３と同様に、拡大対象枠表示制御部４２が新たに取得した座標データを記憶部５０へ保存拡大対象枠５２として上書き保存する（十字キー：ステップＳ２２、テンキー：ステップＳ２３）。次いで、ステップＳ２０が「Ｙｅｓ」ならテンキーの対応先に、Ｎｏならば十字キーの上下左右移動した先に、拡大対象枠を表示させる（ステップＳ２５）。例えば、十字キーの右キーが押下された場合には、図７に示すように、拡大対象枠をそのサイズは変更せずに、デフォルト設定値の分だけ右へ平行移動し、移動先の領域Ｙに表示する。また、テンキーＴ１３が押下されたのであれば、図８に示すように、拡大対象枠は領域Ｚに表示される。
【００２８】
図４は、拡大対象情報表示制御部４３の処理を示すフローチャートである。拡大対象情報表示制御部４３も、拡大対象枠表示制御部４２と同様に、入力情報検出部４１から座標データを受け取り、その後、この座標データを用いて、実際に拡大した情報を生成し、それを第２表示画面２１Ｂに表示させる処理を実行する。このため、拡大対象情報表示制御部４３の処理の大半が、図３のフローと同様な処理となる。従って、ここでは、図４における図３と同様な処理の説明は割愛し、図３とは異なる処理についてのみ説明する。
【００２９】
拡大対象情報表示制御部４３は、実際に表示させる情報について、それを拡大して表示させる。この目的のため、入力情報検出部４１から座標データを受け取った後に（ステップＳ３２）、この座標データをもとにして、記憶部５０に保存されている表示情報５１の拡大対象領域の情報を読み込む（ステップＳ３３）。前述の通り、表示情報５１は、例えば、ｔｘｔ形式の文字データやｂｍｐ形式の画像データからなる表示データである。この表示情報５１の拡大対象領域の情報がすなわち、拡大対象枠内に表示される情報と同一である。次いで、拡大対象情報表示制御部４３は、この拡大対象領域を拡大し、第２表示画面２１Ｂに表示させる（ステップＳ３４）。ステップＳ３８では、拡大対象枠を一時的に非表示にするサイドキー３４が押下されたか否かを判断する。ただし、拡大対象情報表示制御部４３は、拡大対象枠の表示／非表示に関する制御を行わないので、サイドキー３４押下による入力データを受け取った場合（ステップＳ３８：Ｙｅｓ）、拡大対象情報表示制御部４３は、その入力データを破棄する（ステップＳ３９）。なお、上記で述べた図３と図４の対応するステップは、以下の組み合わせとなる。つまり、Ｓ１１−Ｓ３１、Ｓ１２−Ｓ３２、Ｓ１４−Ｓ３４、Ｓ１５−Ｓ３５、Ｓ１６−Ｓ３６、Ｓ１７−Ｓ３７、Ｓ１８−Ｓ３８、Ｓ２０−Ｓ４０、Ｓ２５−Ｓ４３の組み合わせである。
【００３０】
上記実施形態の携帯端末装置１０では、以下の効果が得られる。まず、第１の効果は、拡大した情報が、関連技術の携帯端末装置に比して見やすくなる、ということにある。この理由は、１画面を分割して一方に拡大情報を表示させるのとは異なり、全体情報と部分拡大情報とを別々の表示画面に、且つ、並置して表示したからである。特に、本記実施形態の携帯端末装置では、同等サイズの表示画面を２つ有し、その携帯端末に拡大表示制御方法を導入したため、拡大情報を大画面のまま閲覧することが可能になり、見やすさが格段に向上する。また、第１表示画面に拡大対象枠を表示するため、現在、第２表示画面で元の表示情報のどの部分が拡大されているかが、一目で認識できる。このため、双方の対応関係が容易に判別可能である。
【００３１】
第２の効果は、拡大表示のための処理が容易になることである。これは、携帯端末装置に特有の入力方法を採用するテンキーを利用した拡大表示制御方法を取り入れたためである。特に、本実施形態では、この拡大表示制御方法により、テンキーを押下するだけで、そのキー位置に対応した箇所へ拡大対象を切り替えることが可能になる。つまり、拡大対象情報を変更するために拡大対象枠を移動させる際に、十字キーを何度も押下する操作を行う必要はなく、拡大表示を希望する箇所付近へ拡大対象枠を瞬時にジャンプさせることができる。
【００３２】
なお、第１表示画面及び第２表示画面のそれぞれに、その表示情報を操作するためのアイコンを付属させることができる。例えば、第１表示画面と第２表示画面の何れかを選択するための表示画面選択キーを設ける。表示画面選択キー押下による表示画面の選択に応答して、制御部はその表示画面に付属するアイコンを活性化する。このようにすることで、アイコンが活性化された表示画面に表示された情報に特定の処理、例えば、表示情報の反転や回転、拡大などの処理を加えることができる。
【００３３】
次に、本発明の第２の実施形態に係る携帯端末について図９〜図１１を参照して詳細に説明する。図９は、本実施形態の携帯端末装置１０の内部構成を示すブロック図であり、図２の構成に加えて、記憶部５０に拡大対象枠設定値５３が記憶されている。なお、外観は図１で示した第１の実施形態と同様である。拡大対象枠設定値５３は、拡大対象枠のサイズを変更させるパラメータを表し、ユーザが機能メニューから設定することが可能である。設定可能なパラメータは、拡大対象枠の（横，縦）の幅、すなわち相対座標であり、これを（Ｗ，Ｌ）として保持する。このパラメータ（Ｗ，Ｌ）を設定可能とすることで、拡大対象枠表示制御部４２は、拡大対象枠を表示する際に、（Ｗ，Ｌ）に基づいて拡大対象枠のサイズを変更し、これを第１表示画面２１Ａに表示する。
【００３４】
また、拡大対象情報表示制御部４３も同様に、（Ｗ，Ｌ）に基づいて拡大対象情報のサイズを拡大して、第２表示画面２１Ｂへ表示する。第１の実施形態では、この値は定数としていたため、常に同じサイズの拡大対象枠及び拡大対象情報が表示されていた。図１０は、第１の実施形態でのパラメータ値を（Ｗ１，Ｌ１）とし、第２の実施形態でのパラメータ値（Ｗ２，Ｌ２）を（２Ｗ１，２Ｌ１）とした例について、拡大対象枠及び拡大対象情報の拡大の様子を示している。表示情報拡大処理は、第１の実施形態と同様に、Ｓ０キーの長押しで開始する。拡大対象枠のサイズは、縦及び横に２倍となるので、全体としては４倍の領域４Ｘについて拡大対象枠が第１表示画面２１Ａに表示される。また、この領域の表示情報を拡大した情報が第２表示画面２１Ｂに表示される。この場合にも、拡大対象枠はデフォルトとして、Ｔ８キー押下時の表示領域と同様に、画面中央に表示される。その後、ユーザーがＴ１３キーを押下すれば、図１１に示すように、第１表示画面２１Ａの領域４Ｚに拡大対象枠が表示され、また、第２表示画面２１Ｂに拡大対象情報が表示される。
【００３５】
本実施形態では、拡大対象枠設定値５３（Ｗ，Ｌ）によって、拡大対象とする領域を、押下されたキーに対応する領域の何倍にするかを設定する。このとき、上記のように、例えば中央のＴ８キーを押下したときには、Ｔ８キーに対応する領域を中心として、その領域の４倍の領域を拡大表示する。また、例えばＴ１３キーを押下したときには、Ｔ１３キーに対応するコーナー部の領域とその領域に隣接する領域とを含む４倍の領域を拡大表示する。拡大対象枠表示制御部４２は、押下されたキーに依存して、拡大対象領域を、押下されたキーに対応する領域を中心とする領域にするか、或いは、押下されたキーに対応する領域とこれに隣接する領域とを含む領域にするかを判断し、拡大対象領域を決定する。
【００３６】
拡大対象枠設定値５３は、代わりとして、拡大対象枠内情報の第２表示画面２１Ｂでの拡大率設定値を採用してもよい。拡大対象枠のサイズと拡大率とは一意に連動しているためである。例えば、拡大対象枠設定値５３を（Ｗ１，Ｌ１）から（２Ｗ１，２Ｌ１）に変更した場合、第２表示画面２１Ｂに表示させる情報の第１表示画面２１Ａに表示される情報に対する拡大率は必然的に４分の１に変更される。
【００３７】
第２の実施形態では、第１の実施形態の効果に加えて以下の効果が得られる。つまり、ユーザーの希望とする倍率で表示情報を拡大できることにある。その理由は、記憶部５０に、拡大対象枠設定値５３を追加することで、拡大対象枠のサイズ（Ｗ，Ｌ）をユーザーが任意に設定可能になったためである。この構成により、ユーザーは、拡大対象枠が小さすぎてその領域の拡大情報が大きすぎて見づらい、或いは、逆に拡大対象枠が大きくて拡大情報がまだ小さすぎる、といった不具合を、ユーザーが自身に合ったサイズに変更することで、解消できる。
【００３８】
本発明を特別に示し、且つ、例示的な実施形態を参照して説明したが、本発明は、その実施形態及びその変形に限定されるものではない。当業者に明らかなように、本発明は、添付の請求の範囲に規定される本発明の精神及び範囲を逸脱することなく、種々の変更が可能である。
【００３９】
なお、上記実施形態の携帯端末装置１０の機能を実現するために制御部４０が実行するプログラムを、既存の携帯電話等に適用することで、当該携帯電話等を本発明に係る携帯端末装置として機能させることも可能である。
【００４０】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、携帯電話網やインターネット等の通信ネットワークを介して配布してもよい。
【００４１】
本発明は２０１０年１月１９日に出願された日本国特許出願２０１０−００８６６９号に基づく。本明細書中に日本国特許出願２０１０−００８６６９号の明細書、特許請求の範囲、図面全体を参照として取り込むものとする。
【符号の説明】
【００４２】
１０：携帯端末装置
２０Ａ：第１表示部
２０Ｂ：第２表示部
２１Ａ：第１表示画面
２１Ｂ：第２表示画面
３０：操作部
３１：キー入力部
３２：ソフトキー部
３３：テンキー部
４０：制御部
４１：入力情報検出部
４２：拡大対象枠表示制御部
４３：拡大対象情報表示制御部
５０：記憶部
５１：表示情報
５２：保存拡大対象枠
５３：拡大対象枠設定値
【図１】
0005901295.tif 000002
【図２】
0005901295.tif 000003
【図３】
0005901295.tif 000004
【図４】
0005901295.tif 000005
【図５】
0005901295.tif 000006
【図６】
0005901295.tif 000007
【図７】
0005901295.tif 000008
【図８】
0005901295.tif 000009
【図９】
0005901295.tif 000010
【図１０】
0005901295.tif 000011
【図１１】
0005901295.tif 000012